(57)【要約】  第１外部端子と第２外部端子が良好に接続されているか否かを、外部から容易に確認できる多極コネクタセットを提供する。  第１コネクタ１００Ａは、第１内部端子１と、接地電位に接続される第１外部端子３と、第１内部端子１および第１外部端子３を保持する第１絶縁性部材２と、を備え、第２コネクタ１００Ｂは、第２内部端子６と、接地電位に接続される第２外部端子８と、第２内部端子６および第２外部端子８を保持する第２絶縁性部材７と、を備え、第１コネクタ１００Ａと第２コネクタ１００Ｂが嵌合された状態において、第１内部端子１と第２内部端子６が接続され、第１外部端子３と第２外部端子８が接続され、第１コネクタ１００Ａの端面側から、第１外部端子３と第２外部端子８の接続部を目視できるものとする。
2020203591.tif 000002
【特許請求の範囲】
【請求項１】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１コネクタと前記第２コネクタが嵌合された状態において、
前記第１内部端子と前記第２内部端子が接続され、
前記第１外部端子と前記第２外部端子が接続され、
前記第１コネクタの前記端面側から、
前記第１外部端子と前記第２外部端子の接続部を目視できる、
多極コネクタセット。
【請求項２】
前記第１コネクタの前記端面がオープン構造であり、
前記オープン構造としたことにより前記第１コネクタの前記端面側から、
前記第１外部端子と前記第２外部端子の接続部を目視できる、
請求項１に記載された多極コネクタセット。
【請求項３】
前記第１コネクタの前記端面に窓が形成され、
前記窓を通して前記第１コネクタの前記端面側から、
前記第１外部端子と前記第２外部端子の接続部を目視できる、
請求項１に記載された多極コネクタセット。
【請求項４】
前記第１コネクタの前記端面にスリットが形成され、
前記スリットを通して前記第１コネクタの前記端面側から、
前記第１外部端子と前記第２外部端子の接続部を目視できる、
請求項１に記載された多極コネクタセット。
【請求項５】
前記１コネクタの前記端面に、前記第１外部端子が重なる、
請求項３または４に記載された多極コネクタセット。
【請求項６】
前記第１コネクタの端部に前記第１外部端子が設けられ、
前記第２コネクタの端部に前記第２外部端子が設けられ、
前記第１外部端子は凹部を有し、
前記第１コネクタと前記第２コネクタが嵌合された状態において、
前記凹部に前記第２外部端子が嵌合され、
前記第１外部端子と前記第２外部端子の前記接続部の少なくとも１つが、前記凹部の前記幅方向における内側の面または点と、前記第２外部端子の前記幅方向における外側の面または点で構成される、
請求項１ないし５のいずれか１項に記載された多極コネクタセット。
【請求項７】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１コネクタの端部に前記第１外部端子が設けられ、
前記第２コネクタの端部に前記第２外部端子が設けられ、
前記第１外部端子は凹部を有し、
前記第１コネクタの前記端面がオープン構造であり、
前記第１コネクタと前記第２コネクタが嵌合された状態において、
前記凹部に前記第２外部端子が嵌合され、
少なくとも、前記凹部の前記幅方向における内側の面または点と、前記第２外部端子の前記幅方向における外側の面または点が、前記第１外部端子と前記第２外部端子の接続部を構成し、
前記オープン構造としたことにより前記第１コネクタの前記端面側から、前記接続部を目視できる、
多極コネクタセット。
【発明の詳細な説明】
【技術分野】
【０００１】
本発明は、第１コネクタと第２コネクタを相互に嵌合して構成される多極コネクタセットに関する。
【背景技術】
【０００２】
従来から、２つの回路基板を電気的に接続するために、一方の回路基板に第１コネクタを接続し、他方の回路基板に第２コネクタを接続し、第１コネクタと第２コネクタを相互に嵌合して構成する多極コネクタセットが知られている（たとえば、特許文献１参照）。【０００３】
特許文献１の多極コネクタセットは、第１コネクタが、長手方向に沿って配列された第１内部端子と、第１内部端子を支持する第１絶縁性部材と、第１内部端子の長手方向の両端に設けられた接地電位に接続される第１外部端子とを有する。また、第２コネクタが、長手方向に沿って配列された第２内部端子と、第２内部端子を支持する第２絶縁性部材と、第２内部端子の長手方向の両端に設けられた接地電位に接続される第２外部端子とを有する。そして、第１コネクタと第２コネクタを嵌合した状態において、第１内部端子と第２内部端子が接続され、第１外部端子と第２外部端子が接続される。
【先行技術文献】
【特許文献】
【０００４】
【特許文献１】国際公開第２０１９／０２１６１１号
【発明の概要】
【発明が解決しようとする課題】
【０００５】
多極コネクタセットにおいて、伝送される信号の高周波化が進んでいる。多極コネクタセットを高周波信号の伝送に用いる場合、内部端子の近傍に配置された外部端子や、多極コネクタセットが実装された回路基板のグランド導体パターンなどは、高周波信号を伝送する内部端子から輻射される電磁界によって共振を起こしやすくなる。そして、所望しない共振は、放射ノイズを発生させるために、伝送帯域における安定した信号伝送が妨げられる。【０００６】
多極コネクタセットにおいて、所望しない共振を抑制するためには、第１コネクタの第１外部端子と第２コネクタの第２外部端子が、良好に接続されることが重要である。【０００７】
しかしながら、特許文献１の多極コネクタセットは、第１コネクタと第２コネクタを嵌合した状態において、側面および端面が閉じているため、第１外部端子と第２外部端子が良好に接続されているか否かを、外部から容易に確認することができなかった。【０００８】
そこで、本発明の目的は、第１外部端子と第２外部端子が良好に接続されているか否かを、外部から容易に確認できる多極コネクタセットを提供することにある。
【課題を解決するための手段】
【０００９】
上記目的を達成するために、本発明の一実施態様にかかる多極コネクタセットは、第１コネクタと第２コネクタを相互に嵌合して構成される多極コネクタセットであって、第１コネクタと第２コネクタが嵌合された状態において、第１コネクタ、第２コネクタおよび多極コネクタセットについて、それぞれ、互いに直交する長さ方向、幅方向、高さ方向を規定したとき、第１コネクタおよび第２コネクタは、それぞれ、長さ方向に相対する１対の端面と、幅方向に相対する１対の側面と、高さ方向に相対する１対の主面を有し、第１コネクタは、第１内部端子と、接地電位に接続される第１外部端子と、第１内部端子および第１外部端子を保持する第１絶縁性部材と、を備え、第２コネクタは、第２内部端子と、接地電位に接続される第２外部端子と、第２内部端子および第２外部端子を保持する第２絶縁性部材と、を備え、第１コネクタと第２コネクタが嵌合された状態において、第１内部端子と第２内部端子が接続され、第１外部端子と第２外部端子が接続され、第１コネクタの端面側から、第１外部端子と第２外部端子の接続部を目視できるものとする。
【発明の効果】
【００１０】
本発明の多極コネクタセットは、第１コネクタの端面側から第１外部端子と第２外部端子の接続部を目視できるため、第１外部端子と第２外部端子が良好に接続されているか否かを、外部から容易に確認できる。
【図面の簡単な説明】
【００１１】
【図１】図１（Ａ）は、嵌合面側から見た第１コネクタ１００Ａの斜視図である。図１（Ｂ）は、実装面側から見た第１コネクタ１００Ａの斜視図である。
【図２】第１コネクタ１００Ａの分解斜視図である。
【図３】図３（Ａ）は、嵌合面側から見た第２コネクタ１００Ｂの斜視図である。図３（Ｂ）は、実装面側から見た第２コネクタ１００Ｂの斜視図である。
【図４】第２コネクタ１００Ｂの分解斜視図である。
【図５】多極コネクタセット１００の斜視図である。
【図６】第１コネクタ１００Ａと第２コネクタ１００Ｂの嵌合を解除した多極コネクタセット１００の斜視図である。
【図７】図７（Ａ）は、第１コネクタ１００Ａと第２コネクタ１００Ｂの嵌合を解除した多極コネクタセット１００の正面図である。図７（Ｂ）は、第１コネクタ１００Ａと第２コネクタ１００Ｂを嵌合させた多極コネクタセット１００の正面図である。
【図８】図８（Ａ）は、第１コネクタ２００Ａと第２コネクタ２００Ｂの嵌合を解除した多極コネクタセット２００の正面図である。図８（Ｂ）は、第１コネクタ２００Ａと第２コネクタ２００Ｂを嵌合させた多極コネクタセット２００の正面図である。
【図９】図９（Ａ）は、第１コネクタ３００Ａと第２コネクタ３００Ｂの嵌合を解除した多極コネクタセット３００の正面図である。図９（Ｂ）は、第１コネクタ３００Ａと第２コネクタ３００Ｂを嵌合させた多極コネクタセット３００の正面図である。
【発明を実施するための形態】
【００１２】
以下、図面とともに、本発明を実施するための形態について説明する。
【００１３】
なお、各実施形態は、本発明の実施の形態を例示的に示したものであり、本発明が実施形態の内容に限定されることはない。また、異なる実施形態に記載された内容を組合せて実施することも可能であり、その場合の実施内容も本発明に含まれる。また、図面は、明細書の理解を助けるためのものであって、模式的に描画されている場合があり、描画された構成要素または構成要素間の寸法の比率が、明細書に記載されたそれらの寸法の比率と一致していない場合がある。また、明細書に記載されている構成要素が、図面において省略されている場合や、個数を省略して描画されている場合などがある。
【００１４】
［第１実施形態］
図１（Ａ）、（Ｂ）、図２、図３（Ａ）、（Ｂ）、図４、図５、図６に、第１実施形態にかかる多極コネクタセット１００を示す。なお、多極コネクタセット１００は、第１コネクタ１００Ａと第２コネクタ１００Ｂが相互に嵌合されて構成されている。図１（Ａ）は、嵌合面側から見た第１コネクタ１００Ａの斜視図である。図１（Ｂ）は、実装面側から見た第１コネクタ１００Ａの斜視図である。図２は、第１コネクタ１００Ａの分解斜視図である。図３（Ａ）は、嵌合面側から見た第２コネクタ１００Ｂの斜視図である。図３（Ｂ）は、実装面側から見た第２コネクタ１００Ｂの斜視図である。図４は、第２コネクタ１００Ｂの分解斜視図である。図５は、多極コネクタセット１００の斜視図である。図６は、第１コネクタ１００Ａと第２コネクタ１００Ｂの嵌合を解除した多極コネクタセット１００の斜視図である。なお、多極コネクタとは、複数の内部端子を有するコネクタをいう。
【００１５】
なお、図面には、多極コネクタセット１００、第１コネクタ１００Ａ、第２コネクタ１００Ｂの高さ方向Ｔ、長さ方向Ｌ、幅方向Ｗを示しており、以下の説明において、これらの方向に言及する場合がある。多極コネクタセット１００、第１コネクタ１００Ａ、第２コネクタ１００Ｂは、それぞれ、長さ方向Ｌに相対して１対の端面を備え、幅方向Ｗに相対して１対の側面を備え、高さ方向Ｔに相対して１対の主面（実装面および嵌合面）を備えている。
【００１６】
上述したとおり、多極コネクタセット１００は、第１コネクタ１００Ａと第２コネクタ１００Ｂが相互に嵌合されて構成されている。以下、第１コネクタ１００Ａ、第２コネクタ１００Ｂ、多極コネクタセット１００について、順に説明する。
【００１７】
＜第１コネクタ１００Ａ＞
図１（Ａ）、（Ｂ）、図２に、第１コネクタ１００Ａを示す。
【００１８】
第１コネクタ１００Ａは、複数の第１内部端子１を備える。第１内部端子１は、第１コネクタ１００Ａを実装した回路基板などの信号ラインやグランドなどに接続される。本実施形態においては、第１内部端子１は、いわゆる雌型端子である。ただし、第１内部端子１は、いわゆる雄型端子であってもよい。
【００１９】
第１内部端子１の材質は任意であるが、たとえば、リン青銅を使用することができる。リン青銅は、導電性を有し、かつ、弾性変形な材料である。
【００２０】
本実施形態においては、第１内部端子１は、短冊状の金属板を折り曲げ加工して作製したものからなる。ただし、第１内部端子１は、ばね性を有する金属部材を抜き型加工することにより、作製したものであってもよい。
【００２１】
第１コネクタ１００Ａは、第１絶縁性部材２を備える。第１絶縁性部材２は、第１内部端子１を保持するための部材である。第１絶縁性部材２の材質は任意であるが、たとえば、樹脂を使用することができる。第１内部端子１は、第１絶縁性部材２に、インサートモールドされている。ただし、第１内部端子１は、第１絶縁性部材２に、嵌め込んで固定されてもよい。
【００２２】
第１内部端子１は、それぞれ長さ方向Ｌに延びる２列に分けて配置されている。第１内部端子１は、第１絶縁性部材２から幅方向Ｗに引出されている。
【００２３】
第１コネクタ１００Ａは、第１絶縁性部材２の両端に、それぞれ、第１外部端子３が設けられている。本実施形態においては、両端の第１外部端子３が、第１コネクタ１００Ａの両側面に設けられた、１対のサイドシールド４によって、相互に、構造的かつ電気的に接続されている。ただし、サイドシールド４は、本発明において必須の構成要素ではなく、省略することもできる。
【００２４】
第１外部端子３は、第１コネクタ１００Ａを実装した回路基板などのグランドに接続される。第１外部端子３は、第１コネクタ１００Ａの端面をシールドする。サイドシールド４は、第１コネクタ１００Ａの側面をシールドする。
【００２５】
第１外部端子３およびサイドシールド４の材質は、それぞれ任意であるが、たとえば、リン青銅を使用することができる。
【００２６】
本実施形態の第１外部端子３およびサイドシールド４は、１つの金属板を打ち抜き、折り曲げ加工して、一体的に作製されている。ただし、第１外部端子３とサイドシールド４は、別々に作製され、後から接合されたものであってもよい。
【００２７】
第１外部端子３およびサイドシールド４は、第１絶縁性部材２にインサートモールドされている。ただし、第１外部端子３およびサイドシールド４は、第１絶縁性部材２に、嵌め込んで固定されてもよい。
【００２８】
第１外部端子３は、凹部３１を有している。凹部３１は、第２コネクタ１００Ｂの後述する第２外部端子８を嵌合する部分である。
【００２９】
第１外部端子３は、凹部３１の第１コネクタ１００Ａにおける端面側が開放されている。
【００３０】
第１外部端子３は、凹部３１の幅方向Ｗにおける両方の内側に、第２外部端子８と接続される第１接続部３２を備えている。凹部３１の長さ方向Ｌにおける一方の内側（開放された側と反対側）も、第２外部端子８と接続される接続部に利用することが可能である。
【００３１】
本実施形態においては、第１接続部３２に、ロック突起３２ａが形成されている。ただし、ロック突起３２ａに代えて、ロック孔を形成してもよい。なお、嵌合力を高めたり、勘合したかどうかをロック音で確認したりするためには、このようなロック突起やロック孔を設けることが好ましいが、このようなロック突起やロック孔を設けずに、押し込み固定するようにすることを妨げるものではない。
【００３２】
第１外部端子３は、凹部３１の幅方向Ｗにおける両方の内側、および、凹部３１の長さ方向Ｌにおける一方の内側（開放された側と反対側）に、第２外部端子８を凹部３１に嵌合させる際に使用するテーパー状のガイド３３が形成されている。
【００３３】
第１コネクタ１００Ａは、第１絶縁性部材２の幅方向Ｗの中央部に、長さ方向Ｌに延びる２つのセンターシールド５が設けられている。各センターシールド５は、第２コネクタ１００Ｂの後述するセンターシールド９の凸部９ａと嵌合される凹部５ａを有している。センターシールド５は、第１コネクタ１００Ａを実装した回路基板などのグランドに接続される。センターシールド５は、異なる列に配置された第１内部端子１どうしにおいて電磁波の干渉を抑制するために設けられている。
【００３４】
第１コネクタ１００Ａは、凹部３１の第１コネクタ１００Ａにおける端面側を開放したため、端面がオープン構造になっている。端面がオープン構造であるとは、端面が閉じていないことをいう。
【００３５】
＜第２コネクタ１００Ｂ＞
図３（Ａ）、（Ｂ）、図４に、第２コネクタ１００Ｂを示す。
【００３６】
第２コネクタ１００Ｂは、複数の第２内部端子６を備える。第２内部端子６は、第２コネクタ１００Ｂを実装した回路基板などの信号ラインやグランドなどに接続される。本実施形態においては、第２内部端子６は、いわゆる雄型端子である。ただし、第２内部端子６は、いわゆる雌型端子であってもよい。
【００３７】
第２内部端子６の材質は任意であるが、たとえば、リン青銅を使用することができる。
【００３８】
本実施形態においては、第２内部端子６は、短冊状の金属板を折り曲げ加工して作製したものからなる。ただし、第２内部端子６は、ばね性を有する金属部材を抜き型加工することにより、作製したものであってもよい。
【００３９】
第２コネクタ１００Ｂは、第２絶縁性部材７を備える。第２絶縁性部材７は、第２内部端子６を保持するための部材である。第２絶縁性部材７の材質は任意であるが、たとえば、樹脂を使用することができる。第２内部端子６は、第２絶縁性部材７に、インサートモールドされている。ただし、第２内部端子６は、第２絶縁性部材７に、嵌め込んで固定されてもよい。
【００４０】
第２内部端子６は、それぞれ長さ方向Ｌに延びる２列に分けて配置されている。第２内部端子６は、第２絶縁性部材７から幅方向Ｗに引出されている。
【００４１】
第２コネクタ１００Ｂは、第２絶縁性部材７の両端に、それぞれ、第２外部端子８が設けられている。第２外部端子８は、第１コネクタ１００Ａと第２コネクタ１００Ｂが嵌合された状態において、第１コネクタ１００Ａの第１外部端子３の凹部３１に嵌合される部分である。
【００４２】
第２外部端子８は、第２コネクタ１００Ｂを実装した回路基板などのグランドに接続される。第２外部端子８は、第２コネクタ１００Ｂの端面をシールドする。
【００４３】
第２外部端子８の材質は任意であるが、たとえば、リン青銅を使用することができる。
【００４４】
第２外部端子８は、幅方向Ｗにおける両方の外側に、第１外部端子３と接続される第２接続部８２を備えている。第２外部端子８の長さ方向Ｌにおける内側も、第１外部端子３と接続される第２接続部として使用することが可能である。
【００４５】
本実施形態においては、第２接続部８２に、ロック孔８２ａが形成されている。ただし、ロック孔８２ａに代えて、ロック突起を形成してもよい。なお、嵌合力を高めたり、勘合したかどうかをロック音で確認したりするためには、このようなロック突起やロック孔を設けることが好ましいが、このようなロック突起やロック孔を設けずに、押し込み固定するようにすることを妨げるものではない。
【００４６】
第２コネクタ１００Ｂは、第２絶縁性部材７の幅方向Ｗの中央部に、長さ方向Ｌに延びるセンターシールド９が設けられている。センターシールド９は、第１コネクタ１００Ａのセンターシールド５の凹部５ａと嵌合される２つの凸部９ａを有している。センターシールド９は、第２コネクタ１００Ｂを実装した回路基板などのグランドに接続される。センターシールド９は、異なる列に配置された第２内部端子６どうしにおいて電磁波の干渉を抑制するために設けられている。
【００４７】
＜多極コネクタセット１００＞
第１コネクタ１００Ａと第２コネクタ１００Ｂが嵌合されて、多極コネクタセット１００が構成される。図５に、第１コネクタ１００Ａと第２コネクタ１００Ｂを嵌合させた多極コネクタセット１００の斜視図を示す。図６に、第１コネクタ１００Ａと第２コネクタ１００Ｂの嵌合を解除した多極コネクタセット１００の斜視図を示す。図７（Ａ）に、第１コネクタ１００Ａと第２コネクタ１００Ｂの嵌合を解除した多極コネクタセット１００の正面図を示す。図７（Ｂ）に、第１コネクタ１００Ａと第２コネクタ１００Ｂを嵌合させた多極コネクタセット１００の正面図を示す。
【００４８】
第１コネクタ１００Ａと第２コネクタ１００Ｂを嵌合させた状態において、第１内部端子１と第２内部端子６が接続される。
【００４９】
また、第１コネクタ１００Ａと第２コネクタ１００Ｂを嵌合させた状態において、第２外部端子８が凹部３１に嵌合され、第１外部端子３の第１接続部３２と第２外部端子８の第２接続部８２が接続される。第１接続部３２と第２接続部８２が良好に接続されたとき、第１接続部３２のロック突起３２ａが第２接続部８２のロック孔８２ａに嵌合される。
【００５０】
また、第１コネクタ１００Ａと第２コネクタ１００Ｂを嵌合させた状態において、センターシールド９の凸部９ａが、センターシールド５の凹部５ａに嵌合される。
【００５１】
図７（Ａ）、（Ｂ）から分かるように、多極コネクタセット１００は、第１コネクタ１００Ａの端面がオープン構造であるため、第１コネクタ１００Ａの端面側から、第１接続部３２と第２接続部８２の接合状態を目視で確認することができる。換言すれば、接合状態の視認性を大幅に向上させることができる。
【００５２】
したがって、多極コネクタセット１００は、第１外部端子３と第２外部端子８を確実に接続することができるため、高周波信号を伝送する第１内部端子１、第２内部端子６から輻射される電磁界によって、第１外部端子３、第２外部端子８や、第１コネクタ１００Ａ、第２コネクタ１００Ｂを実装した回路基板のグランド導体パターンなどが所望しない共振をおこすことが抑制されている。
【００５３】
［第２実施形態；多極コネクタセット２００］
図８（Ａ）、（Ｂ）に、第２実施形態にかかる多極コネクタセット２００を示す。なお、多極コネクタセット２００は、第１コネクタ２００Ａと第２コネクタ２００Ｂが相互に嵌合されて構成されている。図８（Ａ）は、第１コネクタ２００Ａと第２コネクタ２００Ｂの嵌合を解除した多極コネクタセット２００の正面図である。図８（Ｂ）は、第１コネクタ２００Ａと第２コネクタ２００Ｂを嵌合させた多極コネクタセット２００の正面図である。
【００５４】
第２実施形態にかかる多極コネクタセット２００は、第１実施形態にかかる多極コネクタセット１００の構成の一部に変更を加えた。具体的には、多極コネクタセット１００では、凹部３１の第１コネクタ１００Ａにおける端面側が開放されており、第１コネクタ１００Ａの端面がオープン構造になっていた。多極コネクタセット２００は、これを変更し、凹部３１の第１コネクタ２００Ａにおける端面側を壁面３４で塞ぎ、第１コネクタ２００Ａの端面を非オープン構造にした。そして、多極コネクタセット２００では、壁面３４に窓３５を形成した。このような場合には、端面側を壁面３４で塞ぐため、多極コネクタセットからノイズが外部に放射されることをさらに抑制することができる。
【００５５】
多極コネクタセット２００においても、壁面３４に形成された窓３５を通して、第１コネクタ２００Ａの端面側から、第１接続部３２と第２接続部８２の接合状態を目視で確認することができる。
【００５６】
［第３実施形態；多極コネクタセット３００］
図９（Ａ）、（Ｂ）に、第３実施形態にかかる多極コネクタセット３００を示す。なお、多極コネクタセット３００は、第１コネクタ３００Ａと第２コネクタ３００Ｂが相互に嵌合されて構成されている。図９（Ａ）は、第１コネクタ３００Ａと第２コネクタ３００Ｂの嵌合を解除した多極コネクタセット３００の正面図である。図９（Ｂ）は、第１コネクタ３００Ａと第２コネクタ３００Ｂを嵌合させた多極コネクタセット３００の正面図である。
【００５７】
第３実施形態にかかる多極コネクタセット３００も、第１実施形態にかかる多極コネクタセット１００の構成の一部に変更を加えた。具体的には、多極コネクタセット１００では、凹部３１の第１コネクタ１００Ａにおける端面側が開放されており、第１コネクタ１００Ａの端面がオープン構造になっていた。多極コネクタセット３００は、これを変更し、凹部３１の第１コネクタ３００Ａにおける端面側を壁面３４で塞ぎ、第１コネクタ３００Ａの端面を非オープン構造にした。そして、多極コネクタセット３００では、壁面３４にスリット３６を形成した。
【００５８】
多極コネクタセット３００においても、壁面３４に形成されたスリット３６を通して、第１コネクタ３００Ａの端面側から、第１接続部３２と第２接続部８２の接合状態を目視で確認することができる。このような場合には、端面側を壁面３４で塞ぐため、多極コネクタセットからノイズが外部に放射されることをさらに抑制することができる。
【００５９】
以上、第１実施形態〜第３実施形態にかかる多極コネクタセット１００、２００、３００について説明した。しかしながら、本発明が上述した内容に限定されることはなく、発明の趣旨に沿って種々の変更をなすことができる。
【００６０】
本発明の一実施態様にかかる多極コネクタセットは、「課題を解決するための手段」の欄に記載したとおりである。
【００６１】
この多極コネクタセットにおいて、第１コネクタの端面がオープン構造であり、オープン構造としたことにより第１コネクタの端面側から、第１外部端子と第２外部端子の接続部を目視できることも好ましい。
【００６２】
あるいは、第１コネクタの端面に窓が形成され、窓を通して第１コネクタの端面側から、第１外部端子と第２外部端子の接続部を目視できることも好ましい。
【００６３】
あるいは、第１コネクタの端面にスリットが形成され、スリットを通して第１コネクタの端面側から、第１外部端子と第２外部端子の接続部を目視できることも好ましい。
【００６４】
また、１コネクタの端面に、第１外部端子が重なることも好ましい。この場合には、シールド性が向上する。
【００６５】
また、第１コネクタの端部に第１外部端子が設けられ、第２コネクタの端部に第２外部端子が設けられ、第１外部端子は凹部を有し、第１コネクタと第２コネクタが嵌合された状態において、凹部に第２外部端子が嵌合され、第１外部端子と第２外部端子の接続部の少なくとも１つが、凹部の幅方向における内側の面または点と、第２外部端子の幅方向における外側の面または点で構成されることも好ましい。
【００６６】
本発明の別の実施態様にかかる多極コネクタセットは、第１コネクタと第２コネクタを相互に嵌合して構成される多極コネクタセットであって、第１コネクタと第２コネクタが嵌合された状態において、第１コネクタ、第２コネクタおよび多極コネクタセットについて、それぞれ、互いに直交する長さ方向、幅方向、高さ方向を規定したとき、第１コネクタ、第２コネクタおよび多極コネクタセットは、それぞれ、長さ方向に相対する１対の端面と、幅方向に相対する１対の側面と、高さ方向に相対する１対の主面を有し、第１コネクタは、第１内部端子と、接地電位に接続される第１外部端子と、第１内部端子および第１外部端子を保持する第１絶縁性部材と、を備え、第２コネクタは、第２内部端子と、接地電位に接続される第２外部端子と、第２内部端子および第２外部端子を保持する第２絶縁性部材と、を備え、第１コネクタの端部に第１外部端子が設けられ、第２コネクタの端部に第２外部端子が設けられ、第１外部端子は凹部を有し、第１コネクタの端面がオープン構造であり、第１コネクタと第２コネクタが嵌合された状態において、凹部に第２外部端子が嵌合され、少なくとも、凹部の幅方向における内側の面または点と、第２外部端子の幅方向における外側の面または点が、第１外部端子と第２外部端子の接続部を構成し、オープン構造としたことにより第１コネクタの端面側から、接続部を目視できるものとする。この場合も、第１外部端子と第２外部端子が良好に接続されているか否かを、外部から容易に確認できる。
【符号の説明】
【００６７】
１００Ａ、２００Ａ、３００Ａ・・・第１コネクタ
１・・・第１内部端子
２・・・第１絶縁性部材
３・・・第１外部端子
３１・・・凹部
３２・・・第１接続部
３２ａ・・・ロック突起
３３・・・ガイド
３４・・・壁面
３５・・・窓
３６・・・スリット
４・・・サイドシールド
５・・・センターシールド
５ａ・・・凹部
１００Ｂ、２００Ｂ、３００Ｂ・・・第２コネクタ
６・・・第２内部端子
７・・・第２絶縁性部材
８・・・第２外部端子
８２・・・第２接続部
８２ａ・・・ロック孔
【図１】
2020203591.tif 000003
【図２】
2020203591.tif 000004
【図３】
2020203591.tif 000005
【図４】
2020203591.tif 000006
【図５】
2020203591.tif 000007
【図６】
2020203591.tif 000008
【図７】
2020203591.tif 000009
【図８】
2020203591.tif 000010
【図９】
2020203591.tif 000011
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１外部端子は、前記第２外部端子が嵌合される凹部を有し、
前記凹部の外底面は、前記第１コネクタの外底面に露出しており、
前記第１コネクタと前記第２コネクタが嵌合された状態において、
前記第１内部端子と前記第２内部端子が接続され、
前記第１外部端子と前記第２外部端子が接続され、
前記第１コネクタの前記端面側から、
前記第１外部端子と前記第２外部端子の接続部を目視できる、
多極コネクタセット。
【請求項２】
前記第１コネクタの前記端面がオープン構造であり、
前記オープン構造としたことにより前記第１コネクタの前記端面側から、
前記第１外部端子と前記第２外部端子の接続部を目視できる、
請求項１に記載された多極コネクタセット。
【請求項３】
前記第１コネクタは、前記第１コネクタと前記第２コネクタを勘合させる際に、前記第１外部端子に対する前記第２外部端子の前記長さ方向における相対的な位置が適正になるように、前記第２外部端子を誘導する、１対の金属製のガイドを備え、
前記ガイドは、前記第１外部端子と電気的に接続され、
前記第２外部端子の数は１対であり、
前記第１コネクタと前記第２コネクタが嵌合された状態において、
前記長手方向に、一方の前記第２外部端子と、一方の前記ガイドと、他方の前記ガイドと、他方の前記第２外部端子とが、この順番に並ぶ、
請求項１または２に記載された多極コネクタセット。
【請求項４】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１コネクタと前記第２コネクタが嵌合された状態において、
前記第１内部端子と前記第２内部端子が接続され、
前記第１外部端子と前記第２外部端子が接続され、
前記第１コネクタの前記端面に窓が形成され、
前記窓を通して前記第１コネクタの前記端面側から、
前記第１外部端子と前記第２外部端子の接続部を目視できる、
多極コネクタセット。
【請求項５】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１コネクタと前記第２コネクタが嵌合された状態において、
前記第１内部端子と前記第２内部端子が接続され、
前記第１外部端子と前記第２外部端子が接続され、
前記第１コネクタの前記端面にスリットが形成され、
前記スリットを通して前記第１コネクタの前記端面側から、
前記第１外部端子と前記第２外部端子の接続部を目視できる、
多極コネクタセット。
【請求項６】
前記１コネクタの前記端面に、前記第１外部端子が重なる、
請求項４または５に記載された多極コネクタセット。
【請求項７】
前記第１コネクタの端部に前記第１外部端子が設けられ、
前記第２コネクタの端部に前記第２外部端子が設けられ、
前記第１外部端子は凹部を有し、
前記第１コネクタと前記第２コネクタが嵌合された状態において、
前記凹部に前記第２外部端子が嵌合され、
前記第１外部端子と前記第２外部端子の前記接続部の少なくとも１つが、前記凹部の前記幅方向における内側の面または点と、前記第２外部端子の前記幅方向における外側の面または点で構成される、
請求項１ないし６のいずれか１項に記載された多極コネクタセット。
【請求項８】
第１コネクタと第２コネクタを相互に嵌合して構成される多極コネクタセットであって、
前記第１コネクタと前記第２コネクタが嵌合された状態において、前記第１コネクタ、前記第２コネクタおよび前記多極コネクタセットについて、それぞれ、互いに直交する長さ方向、幅方向、高さ方向を規定したとき、
前記第１コネクタ、前記第２コネクタおよび前記多極コネクタセットは、それぞれ、前記長さ方向に相対する１対の端面と、前記幅方向に相対する１対の側面と、前記高さ方向に相対する１対の主面を有し、
前記第１コネクタは、第１内部端子と、接地電位に接続される第１外部端子と、前記第１内部端子および前記第１外部端子を保持する第１絶縁性部材と、を備え、
前記第２コネクタは、第２内部端子と、前記接地電位に接続される第２外部端子と、前記第２内部端子および前記第２外部端子を保持する第２絶縁性部材と、を備え、
前記第１コネクタの端部に前記第１外部端子が設けられ、
前記第２コネクタの端部に前記第２外部端子が設けられ、
前記第１外部端子は、前記第２外部端子が嵌合される凹部を有し、
前記凹部の外底面は、前記第１コネクタの外底面に露出しており、
前記第１コネクタの前記端面がオープン構造であり、
前記第１コネクタと前記第２コネクタが嵌合された状態において、
前記凹部に前記第２外部端子が嵌合され、
少なくとも、前記凹部の前記幅方向における内側の面または点と、前記第２外部端子の前記幅方向における外側の面または点が、前記第１外部端子と前記第２外部端子の接続部を構成し、
前記オープン構造としたことにより前記第１コネクタの前記端面側から、前記接続部を目視できる、
多極コネクタセット。
【手続補正２】
【補正対象書類名】明細書
【補正対象項目名】０００９
【補正方法】変更
【補正の内容】
【０００９】
上記目的を達成するために、本発明の一実施態様にかかる多極コネクタセットは、第１コネクタと第２コネクタを相互に嵌合して構成される多極コネクタセットであって、第１コネクタと第２コネクタが嵌合された状態において、第１コネクタ、第２コネクタおよび多極コネクタセットについて、それぞれ、互いに直交する長さ方向、幅方向、高さ方向を規定したとき、第１コネクタおよび第２コネクタは、それぞれ、長さ方向に相対する１対の端面と、幅方向に相対する１対の側面と、高さ方向に相対する１対の主面を有し、第１コネクタは、第１内部端子と、接地電位に接続される第１外部端子と、第１内部端子および第１外部端子を保持する第１絶縁性部材と、を備え、第２コネクタは、第２内部端子と、接地電位に接続される第２外部端子と、第２内部端子および第２外部端子を保持する第２絶縁性部材と、を備え、第１外部端子は、第２外部端子が嵌合される凹部を有し、凹部の外底面は、第１コネクタの外底面に露出しており、第１コネクタと第２コネクタが嵌合された状態において、第１内部端子と第２内部端子が接続され、第１外部端子と第２外部端子が接続され、第１コネクタの端面側から、第１外部端子と第２外部端子の接続部を目視できるものとする。
【手続補正３】
【補正対象書類名】明細書
【補正対象項目名】００６６
【補正方法】変更
【補正の内容】
【００６６】
本発明の別の実施態様にかかる多極コネクタセットは、第１コネクタと第２コネクタを相互に嵌合して構成される多極コネクタセットであって、第１コネクタと第２コネクタが嵌合された状態において、第１コネクタ、第２コネクタおよび多極コネクタセットについて、それぞれ、互いに直交する長さ方向、幅方向、高さ方向を規定したとき、第１コネクタ、第２コネクタおよび多極コネクタセットは、それぞれ、長さ方向に相対する１対の端面と、幅方向に相対する１対の側面と、高さ方向に相対する１対の主面を有し、第１コネクタは、第１内部端子と、接地電位に接続される第１外部端子と、第１内部端子および第１外部端子を保持する第１絶縁性部材と、を備え、第２コネクタは、第２内部端子と、接地電位に接続される第２外部端子と、第２内部端子および第２外部端子を保持する第２絶縁性部材と、を備え、第１コネクタの端部に第１外部端子が設けられ、第２コネクタの端部に第２外部端子が設けられ、第１外部端子は、第２外部端子が嵌合される凹部を有し、凹部の外底面は、第１コネクタの外底面に露出しており、第１コネクタの端面がオープン構造であり、第１コネクタと第２コネクタが嵌合された状態において、凹部に第２外部端子が嵌合され、少なくとも、凹部の幅方向における内側の面または点と、第２外部端子の幅方向における外側の面または点が、第１外部端子と第２外部端子の接続部を構成し、オープン構造としたことにより第１コネクタの端面側から、接続部を目視できるものとする。この場合も、第１外部端子と第２外部端子が良好に接続されているか否かを、外部から容易に確認できる。
【国際調査報告】
2020203591.tif 000012
2020203591.tif 000013
2020203591.tif 000014
2020203591.tif 000015